(57)【特許請求の範囲】
【請求項１】
無線通信エリア内に位置する第１の通行券との間で無線通信を行い、この第１の通行券が記憶する券情報を読み取る無線通信部と、
光学読取エリアに翳された第２の通行券に印刷されているバーコードから券情報を光学的に読み取る光学読取部と、
投入口に投入された前記第２の通行券を回収する回収部と、
前記無線通信部、または前記光学読取部の一方が読み取った券情報に基づき、通路における利用者の通行を制限する通行制御部と、を備えたゲート装置において、
前記無線通信部は、前記無線通信エリアを形成するループ形状のアンテナコイルを有し、
前記光学読取部は、前記光学読取エリアが前記アンテナコイルのループの外側に位置し、
また、前記無線通信エリアと、前記光学読取エリアとは、重複する共通エリアが存在し、
さらに、前記無線通信エリア、前記光学読取エリア、および前記投入口は、前記通路における利用者の通行方向に並べているとともに、
前記光学読取エリア、および前記投入口は、前記通路における利用者の通行方向に、この順に連続して並べている、ゲート装置。
【請求項２】
前記無線通信エリア、前記光学読取エリア、および前記投入口は、前記通路における利用者の通行方向に、この順に並べている、請求項１に記載のゲート装置。
【請求項３】
前記光学読取部が券情報を読み取ったときに、読み取った券情報に基づき、今回券情報を読み取った前記第２の通行券を回収するかどうかを判定する回収判定部を備え、
前記回収部は、前記回収判定部が今回券情報を読み取った前記第２の通行券を回収すると判定した場合に、前記投入口に投入された前記第２の通行券を回収する回収処理を実行する、請求項１、または２に記載のゲート装置。
【請求項４】
前記回収判定部は、前記通行制御部が通路における利用者の通行を許可しないと判定したとき、今回券情報を読み取った前記第２の通行券を回収するかどうかの判定を行わない、請求項３に記載のゲート装置。
【発明の詳細な説明】
【技術分野】
【０００１】
この発明は、通路における利用者の通行を制限するゲート装置に関する。
【背景技術】
【０００２】
従来、駅の改札口では、駅構内に入場する利用者や、駅構内から出場する利用者に対する改札処理を自動改札機で行っている。自動改札機は、周知のように、改札通路を通行する利用者が所持している乗車券を受け付け、この乗車券に記録されている乗車券情報を読み取る。自動改札機は、読み取った乗車券情報に基づき、改札通路における利用者の通行を許可するかどうかを判定し、その判定結果に応じて改札通路における利用者の通行を制限する。
【０００３】
また、乗車券は、改札処理の際に、自動改札機で入場情報や出場情報の記録（書き込み）が行える磁気券や非接触ＩＣ券を使用していた。磁気券は、乗車券情報を一方の面（裏面）に貼付した磁気シートに磁気データで記録している。非接触ＩＣ券は、無線通信機能を有し、乗車券情報を電子データで内蔵メモリに記録している。
【０００４】
また、最近では、乗車券情報を二次元バーコード（例えば、ＱＲコード（登録商標））で印刷した乗車券（以下、ＱＲ券と言う。）を使用して改札処理を行う自動改札機が提案されている（特許文献１等参照）。この自動改札機は、読取位置に翳されたＱＲ券の券面に印刷されているＱＲコード（登録商標）が示す乗車券情報を光学的に読み取る。また、ＱＲ券は、磁気券と比べて安価であることから、ランニングコストが抑えられる。
【先行技術文献】
【特許文献】
【０００５】
【特許文献１】特開２００７−  ４７９６０号公報
【発明の概要】
【発明が解決しようとする課題】
【０００６】
しかしながら、特許文献１に記載されている、非接触ＩＣ券と無線通信が行える無線通信エリアを形成するループ形状のアンテナコイルの内側に、ＱＲコード（登録商標）を光学的に読み取る光学センサを配置する構成では、アンテナコイルを光学センサの読取エリアが確保できる形状にしなければならず、その構造が複雑になりコストアップという問題があった。
【０００７】
この発明の目的は、本体の大型化を抑え、無線通信機能を有する第１の通行券から無線通信により読み取った券情報、または第２の通行券の券面に印刷されているバーコードから光学的に読み取った券情報に基づいて、通路における利用者の通行を制限することができるゲート装置を提供することにある。
【課題を解決するための手段】
【０００８】
この発明のゲート装置は、上記目的を達するために、以下のように構成している。
【０００９】
無線通信部が、無線通信エリア内に位置する第１の通行券との間で無線通信を行い、この第１の通行券が記憶する券情報を読み取る。また、光学読取部が、光学読取エリアに翳された第２の通行券の券面に印刷されているバーコードが示す券情報を光学的に読み取る。第１の通行券は、無線通信機能を有し、券情報をメモリに記憶した非接触媒体である。第２の通行券は、例えば、券情報を２次元バーコードで印刷している。
回収部は、投入口に投入された第２の通行券を回収する。通行制御部は、無線通信部、または光学読取部の一方が読み取った券情報に基づき、通路における利用者の通行を制限する。
【００１０】
無線通信部は、無線通信エリアを形成するループ形状のアンテナコイルを有し、光学読取部は、光学読取エリアがアンテナコイルのループの外側に位置する。また、無線通信エリアと、光学読取エリアとは、重複する共通エリアが存在する。さらに、無線通信エリア、光学読取エリア、および投入口は、通路における利用者の通行方向に並べているとともに、光学読取エリア、および投入口は、通路における利用者の通行方向に、この順に連続して並べている。
【００１１】
このため、無線通信部と、光学読取部とは、個別の基板で構成してもよいし、１つの基板で構成してもよい。また、無線通信部にかかる基板や、光学読取部にかかる基板は、既存のものがあるので、個別の基板で構成する場合には、既存のものが利用できる。したがって、既存の基板を利用した簡単な構成で、非接触媒体との無線通信機によりこの非接触媒体が記憶する情報の読み取り、および光学的に媒体に印刷されているバーコードが示す情報の読み取りが行える。
【００１２】
また、無線通信エリアと、光学読取エリアとは、重複する共通エリアが存在するように構成しているので、本体の大型化も抑えられる。
【００１３】
自動改札機等のゲート装置は、通路における利用者の通行方向に比較的空きスペースがある。この発明は、無線通信エリア、光学読取エリア、および投入口を、通路における利用者の通行方向に並べているので、ゲート装置本体のコストアップが抑えられるとともに、ゲート装置本体の大型化も抑えられる。
【００１４】
さらに、光学読取エリア、および投入口については、通路における利用者の通行方向に、この順に連続して並べているので、通路を通行する利用者は、光学読取部に券情報を光学的に読み取らせるために、光学読取エリアに翳した第２の通行券を、投入口にスムーズに投入することができる。
【００１５】
また、無線通信エリアは、光学読取エリアよりも通路の入口側に位置させるのが好ましい。すなわち、無線通信エリア、光学読取エリア、および投入口は、通路における利用者の通行方向に、この順に並べるのが好ましい。これは、光学読取部を備えていないゲート装置での利用者の慣れに対応する構成であり、光学読取エリアを無線通信エリアよりも通路の入口側に位置させた場合よりも、誤って非接触媒体を光学読取エリアに翳す利用者が抑えられると考えられるからである。
【００１６】
また、光学読取部が券情報を読み取ったときに、読み取った券情報に基づき、今回券情報を読み取った第２の通行券を回収するかどうかを判定する回収判定部を備えてもよい。この場合、回収部は、回収判定部が今回券情報を読み取った第２の通行券を回収すると判定した場合に、投入口に投入された第２の通行券を回収する回収処理を実行する構成にすればよい。すなわち、回収部は、回収判定部が、今回券情報を読み取った第２の通行券を回収しないと判定した場合には、今回券情報を読み取った第２の通行券を回収する回収処理を実行しない構成にするのが好ましい。
【００１７】
また、回収判定部は、通行制御部が通路における利用者の通行を許可しないと判定したとき、今回券情報を読み取った前記第２の通行券を回収するかどうかの判定を行わない構成にするのが好ましい。
【００１８】
このように構成すれば、ゲート装置の処理負荷の増大も抑えられる。
【発明の効果】
【００１９】
この発明によれば、簡単な構成で、非接触媒体との無線通信機によりこの非接触媒体が記憶する情報の読み取り、および光学的に媒体に印刷されているバーコードが示す情報の読み取りが行え、且つ本体の大型化を抑えられる。
【図面の簡単な説明】
【００２０】
【図１】自動改札機（出場用ユニット）の外観を示す概略図である。
【図２】自動改札機の主要部の構成を示すブロック図である。
【図３】自動改札機の出場用ユニットの改札通路入口側の拡大図である。
【図４】ＩＣ券情報読取部にかかる基板を示す図である。
【図５】ＱＲ券情報読取部にかかる基板を示す図である。
【図６】ＩＣ券情報読取部の無線通信エリアと、ＱＲ券情報読取部の光学読取エリアとの相対的な位置関係を示す図である。
【図７】駅構内に入場する利用者に対する入場処理を示すフローチャートである。
【図８】駅構内から出場する利用者に対する出場処理を示すフローチャートである
【発明を実施するための形態】
【００２１】
以下、この発明の実施形態について説明する。
【００２２】
図１は、この実施形態にかかる自動改札機の出場用ユニットの外観を示す概略図である。図２は、この自動改札機の主要部の構成を示すブロック図である。
【００２３】
図１に示す出場用ユニットは、駅構内から出場する利用者に対する改札処理を行う。また、図示していない入場用ユニットは、駅構内に入場する利用者に対する改札処理を行う。また、中立ユニットは、駅構内から出場する利用者、および駅構内に入場する利用者の双方に対して改札処理を行わない。自動改札機１は、出場用ユニット、入場用ユニット、中立ユニットの中から２つの異なるユニットを対向させて配置し、これら２つのユニット間に形成した改札通路における利用者の通行を制限（通行許可／通行禁止）する。自動改札機１は、出場用ユニットと、入場用ユニットとを対向させることで、駅構内から出場する利用者、および駅構内に入場する利用者の双方に対して改札処理が行える。自動改札機１は、出場用ユニットと、中立ユニットとを対向させることで、駅構内から出場する利用者に対してのみ改札処理が行える。自動改札機１は、入場用ユニットと、中立ユニットとを対向させることで、駅構内に入場する利用者に対してのみ改札処理が行える。
【００２４】
ここでは、図１に示す出場用ユニットと、図１に示していない入場用ユニットと、を改札通路を挟んで対向させて配置した自動改札機１を例にして説明する。
【００２５】
この例にかかる自動改札機１は、無線通信機能を有し、乗車券情報をメモリに記憶した非接触ＩＣ券、および券面に２次元バーコード（ＱＲコード（登録商標））で乗車券情報を印刷したＱＲ券を乗車券として受け付ける。自動改札機１は、乗車券として受け付けた非接触ＩＣ券、またはＱＲ券から読み取った乗車券情報を用いて、改札通路における利用者の通行を制限する。
【００２６】
自動改札機１は、制御部２と、読取ユニット３と、ＱＲ券回収部４と、利用者検知部５と、表示部６と、扉開閉部７と、通信部８と、を備えている。
【００２７】
制御部２１は、自動改札機１本体の動作を制御する。
【００２８】
読取ユニット３は、ＩＣ券情報読取部１０と、ＱＲ券情報読取部２０と、を備えている。自動改札機１は、読取ユニット３を２つ備えている。
【００２９】
ＩＣ券情報読取部１０は、改札通路を通行する利用者が無線通信エリア内に翳した非接触ＩＣ券との無線通信により、この非接触ＩＣ券に対する乗車券情報の読み取りや、乗車券情報の書き込みを行う。一方の読取ユニット３のＩＣ券情報読取部１０は、駅構内に入場する利用者にとっての改札通路入口側（図１に示していない入場用ユニット）に取り付け、他方の読取ユニット３のＩＣ券情報読取部１０は、駅構内から出場する利用者にとっての改札通路入口側（図１に示す出場用ユニット）に取り付けている。
【００３０】
ＱＲ券情報読取部２０は、改札通路を通行する利用者が読取エリア内に翳したＱＲ券の券面に印刷されているＱＲコード（登録商標）を光学的に読み取る。一方の読取ユニット３のＱＲ券情報読取部２０は、駅構内に入場する利用者にとっての改札通路入口側（図１に示していない入場用ユニット）に取り付け、他方の読取ユニット３のＱＲ券情報読取部２０は、駅構内から出場する利用者にとっての改札通路入口側（図１に示す出場用ユニット）に取り付けている。
【００３１】
なお、読取ユニット３は、中立ユニットに取り付けない。したがって、中立ユニットを利用した自動改札機１が備える読取ユニット３は１つである。
【００３２】
ＱＲ券回収部４は、今回の使用で、使用済みになったＱＲ券を回収する。このＱＲ券回収部４は、図１に示す出場用ユニットに設けている（図１に示していない入場用ユニットや、中立ユニットは、ＱＲ券回収部４を設けていない。）。
【００３３】
利用者検知部５は、改札通路に沿って配置した複数のセンサにより、改札通路内に位置する利用者の位置を検知する。利用者検知部５は、改札通路を挟んで対向させて配置した一方のユニットに、この改札通路に沿って取り付けた複数の発光素子と、他方のユニットに、各発光素子が対向する位置に取り付けた複数の受光素子と、を有する。利用者検知部５は、発光素子から照射されている光を受光していない受光素子があれば、その受光素子に対応する位置に利用者がいると判断する。
【００３４】
表示部６は、改札通路を通行している利用者に対してメッセージを表示する表示器を２つ備えている。一方の表示器は、入場用ユニットに配置しており、駅構内に入場する利用者に対するメッセージを表示する。他方の表示器は、出場用ユニットに配置しており、駅構内から出場する利用者に対するメッセージを表示する。
【００３５】
なお、表示器は、中立ユニットに取り付けない。したがって、中立ユニットを利用した自動改札機１が備える表示器は１つである。
【００３６】
扉開閉部７は、改札通路における利用者の通行を許可しないときに、その利用者の出口側に設けた扉７ａ、７ｂを閉する。図１に示す扉７ａは、駅構内に入場する利用者に対して開閉する扉であり、扉７ｂは、駅構内から出場する利用者に対して開閉する扉である。入場用ユニットや中立ユニットにも、対向する位置に扉７ａ、７ｂを設けている。
【００３７】
通信部８は、高速専用回線で接続されている、図示していない使用状態管理装置（上位装置）との間におけるデータ通信を制御する。この使用状態管理装置は、ＱＲ券の使用状態を管理する。
【００３８】
図３は、自動改札機の出場用ユニットの改札通路入口側の拡大図である。出場ユニットは、図３に示すように、改札通路入口側から、ＩＣ券情報読取部１０の無線通信エリア、ＱＲ券情報読取部２０の光学読取エリア、ＱＲ券投入口２５を、この順に改札通路における利用者の通行方向に並べている。上述した、ＱＲ券回収部４は、このＱＲ券投入口２５に投入されたＱＲ券を本体（出場ユニット）内部に設けた回収ボックス（不図示）に搬送し、回収する。
【００３９】
なお、図示していない自動改札機１の入場用ユニットは、図３に示すＱＲ券投入口２５（ＱＲ券回収部４）を設けていないだけで、ＩＣ券情報読取部１０の無線通信エリア、ＱＲ券情報読取部２０の光学読取エリアを、この順に改札通路における利用者の通行方向に並べている。また、中立ユニットには、上述したように、ＩＣ券情報読取部１０、ＱＲ券情報読取部２０、およびＱＲ券回収部４を設けていない。
【００４０】
ここで読取ユニット３にかかるＩＣ券情報読取部１０、およびＱＲ券情報読取部２０について説明する。この読取ユニット３は、上述したように、出場用ユニット、および入場用ユニットに設けている（読取ユニット３は、中立ユニットに設けていない。）。
【００４１】
ＩＣ券情報読取部１０は、図４に示すように基板１１の表面にループ形状のアンテナコイル１２を有している。また、基板１１には、アンテナコイル１２に接続され、無線通信エリア内に位置する非接触ＩＣ券との無線通信を制御する無線通信部にかかる回路（不図示）が搭載されている。ＩＣ券情報読取部１０は、非接触ＩＣ券との無線通信で、この非接触ＩＣ券から読み取った乗車券情報を制御部２に通知する。また、ＩＣ券情報読取部１０は、制御部２からの指示にしたがって、乗車券情報の更新データとともに、記憶している乗車券情報の更新（書き換え）を非接触ＩＣ券に指示する。
【００４２】
非接触ＩＣ券は、ＩＣ券情報読取部１０から乗車券情報の送信指示を受信すれば、記憶している乗車券情報を送信する。また、非接触ＩＣ券は、ＩＣ券情報読取部１０から乗車券情報の更新指示を受信すれば、この更新要求とともに受信した更新データに基づき、記憶している乗車券情報を更新する。
【００４３】
ＱＲ券情報読取部２０は、図５に示すように基板２１に撮像素子２２と、この撮像素子２２上に光学読取エリア内の像を結像する撮像レンズ２３を備えている。図５（Ａ）は基板２１の上面図であり、図５（Ｂ）は基板２１の側面図である。また、基板２１には、撮像素子２２上に結像されたＱＲコード（登録商標）の画像を処理して、このＱＲコード（登録商標）が示す乗車券情報の読み取りを行う画像処理部にかかる回路（不図示）が搭載されている。ＱＲ券情報読取部２０は、光学読取エリア内に翳されたＱＲ券に印刷されているＱＲコード（登録商標）から読み取った乗車券情報を制御部２に通知する。
【００４４】
上記した、ＩＣ券情報読取部１０にかかる基板１１、およびＱＲ券情報読取部２０にかかる基板２１は、既存であり、この例では、この既存の基板１１、２１を利用している。
【００４５】
ただし、基板１１、２１の相対的な位置関係を以下のように規定している。
【００４６】
上述したように、改札通路入口側から、ＩＣ券情報読取部１０の無線通信エリア、ＱＲ券情報読取部２０の光学読取エリアがこの順に改札通路における利用者の通行方向に並んでいる。すなわち、自動改札機１（出場用ユニット、および入場用ユニット）は、基板１１、２１を図６に示すように並べて取り付けている。図６（Ａ）は、自動改札機１（出場用ユニット、および入場用ユニット）の上面から見た無線通信エリアを形成する基板１１と、光学読取エリアを形成する基板２１との相対的な位置関係を示す。また、図６（Ｂ）は、自動改札機１（出場用ユニット、および入場用ユニット）の側面から見た無線通信エリアを形成する基板１１と、光学読取エリアを形成する基板２１との相対的な位置関係を示す。
【００４７】
図６に示すように、ＩＣ券情報読取部１０の無線通信エリアと、ＱＲ券情報読取部２０の光学読取エリアとは、その一部が重複している。言い換えれば、ＩＣ券情報読取部１０の無線通信エリアと、ＱＲ券情報読取部２０の光学読取エリアとは、その一部が重複するように、基板１１、２１を、改札通路における利用者の通行方向に並べて配置している。また、ＩＣ券情報読取部１０の無線通信エリアと、ＱＲ券情報読取部２０の光学読取エリアについて、その一部を重複させた共通エリアを設けているので、自動改札機１（出場用ユニット、および入場用ユニット）における、２つの基板１１、２１を取り付けるための、これら２つの基板１１、２１の並び方向に必要なスペースを抑えることができる。したがって、自動改札機１の大型化を防止することができる。
【００４８】
なお、２つの基板１１、２１の並び方向については、この例では、改札通路における利用者の通行方向にしたが、改札通路の幅方向にしてもよい。基板１１、２１は、１つの基板で構成してもよい。
【００４９】
また、乗車券としての非接触ＩＣ券の利用がすでに普及していることから、上記の例のように、利用者の操作性の観点から、改札通路における利用者の通行方向に、ＩＣ券情報読取部１０の無線通信エリア、ＱＲ券情報読取部２０の光学読取エリアを並べるのが好ましいが、この並びを逆にして、ＱＲ券情報読取部２０の光学読取エリア、ＩＣ券情報読取部１０の無線通信エリアとしてもよい。
【００５０】
次に、この例にかかる自動改札機１の改札処理にかかる動作について説明する。図７は、駅構内に入場する入場処理を示すフローチャートである。
【００５１】
駅構内に入場する利用者は、非接触ＩＣ券、またはＱＲ券を乗車券として所持している。利用者は、所持している乗車券が非接触ＩＣ券であれば、この非接触ＩＣ券を無線通エリアに翳す。利用者は、所持している乗車券がＱＲ券であれば、このＱＲ券に印刷されているＱＲコード（登録商標）を光学読取エリアに翳す。
【００５２】
自動改札機１は、ＩＣ券情報読取部１０が無線通信エリア内に位置する非接触ＩＣ券の検知、および、ＱＲ券情報読取部２０が光学読取エリア内に位置するＱＲ券の検知を繰り返し行っている（ｓ１、ｓ２）。ＩＣ券情報読取部１０における無線通信エリア内に位置する非接触ＩＣ券の検知は、このＩＣ券情報読取部１０が一定時間間隔（例えば、１００ｍｓ間隔）で非接触ＩＣ券に応答を要求するポーリングを繰り返し、非接触ＩＣ券からの応答の受信の有無によって、無線通信エリア内に位置する非接触ＩＣ券を検知する処理である。また、ＱＲ券情報読取部２０は、光学読取エリア内に位置する物体を検知するとＱＲコード（登録商標）の読み取りを行うことで、光学読取エリア内に位置するＱＲ券を検知する。
【００５３】
なお、ＱＲ券情報読取部２０は、一定時間間隔（例えば、１００ｍｓ間隔）で、ＱＲコード（登録商標）が撮像素子２２に撮像されているかどうかによって、光学読取エリア内に位置するＱＲ券を検知する構成としてもよい。
【００５４】
自動改札機１は、ｓ１で無線通信エリア内に位置する非接触ＩＣ券を検知すると、この非接触ＩＣ券が記憶する乗車券情報を読み取る（ｓ３）。ｓ３にかかる乗車券情報の読み取りは、ＩＣ券情報読取部１０による非接触ＩＣ券との無線通信により行われる。自動改札機１は、ｓ３で読み取った乗車券情報に基づき駅構内への利用者の入場を許可するかどうかを判定する（ｓ４）。ｓ４では、ｓ３で読み取った乗車券情報が適正であるかどうか、例えば乗車券の有効／無効や、サイクルエラー等、を判定している。自動改札機１は、ｓ４で利用者の入場を許可しないと判定すると、扉開閉部７により扉７ａを閉する（ｓ５）。これにより、自動改札機１は、乗車券情報が適正でない非接触ＩＣ券で利用者が駅構内に入場するのを禁止する。
【００５５】
一方、自動改札機１は、ｓ４で駅構内への利用者の入場を許可すると判定すると、今回の利用にかかる入場情報（入場駅、入場時刻等）を乗車券情報として非接触ＩＣ券に書き込む（非接触ＩＣ券の乗車券情報を更新する。）（ｓ６）。ｓ６にかかる処理は、ＩＣ券情報読取部１０による非接触ＩＣ券との無線通信により行われる。非接触ＩＣ券は、自動改札機１からの指示にしたがって、今回の入場情報を乗車券情報として書き込む（乗車券情報を更新する。）。また、自動改札機１は、扉開閉部７により扉７ａを開する（ｓ７）。これにより、自動改札機１は、利用者が駅構内に入場するのを許可する。
【００５６】
また、自動改札機１は、ｓ２で光学読取エリア内に位置するＱＲ券を検知すると、ＱＲコード（登録商標）が示す乗車券情報を読み取る（ｓ８）。自動改札機１は、ＱＲ券から読み取った乗車券情報に基づき、利用者の入場を許可するかどうかを判定する一次判定処理を行う（ｓ９）。ｓ８で読み取った乗車券情報には、ＱＲ券の識別番号、有効期間、有効区間等が含まれている。ｓ９における一次判定処理は、今回乗車券情報を読み取ったＱＲ券について、有効期間、および有効区間が適正であるかどうかを判定する処理である。したがって、この一次判定処理では、今回使用されたＱＲ券がコピー等で作成された偽造券であるかどうかや、使い回しされているＱＲ券であるかどうか等についての判定を行っていない。ただし、後述する二次判定処理において、上述のＱＲ券の不正使用であるかどうかにかかる判定を行う。
【００５７】
自動改札機１は、ｓ９における一次判定処理で、駅構内への利用者の入場を許可しないと判定すると（ｓ１０）、ｓ５で扉開閉部７により扉７ａを閉する。
【００５８】
一方、自動改札機１は、ｓ９における一次判定処理で、利用者の入場を許可しないと判定しなければ（乗車券情報が適正であると判定すると）（ｓ１０）、通信部８において上位装置である使用状態管理装置（不図示）に対して、今回乗車券情報（ＱＲコード（登録商標））を読み取ったＱＲ券の使用状態を示す使用状態管理情報の通知要求を行う（ｓ１１）。この使用状態管理情報の通知要求には、ｓ８で乗車券情報を読み取ったＱＲ券の識別番号が含まれている。
【００５９】
使用状態管理装置は、発券したＱＲ券毎に、そのＱＲ券の識別番号と、使用状態（入場未／入場済や出場未／出場済等）と、を対応づけた使用状態管理情報を記憶している。使用状態管理装置は、自動改札機１から、ＱＲ券の使用状態管理情報の通知要求を受信すると、この通知要求に含まれているＱＲ券の識別番号をキーにして、このＱＲ券の使用状態管理情報を検索し、該当するＱＲ券の使用状態管理情報を自動改札機１に返信する。
【００６０】
自動改札機１は、使用状態管理装置からの返信により、ｓ８で乗車券情報を読み取ったＱＲ券の使用状態管理情報を取得する（ｓ１２）。自動改札機１は、ｓ１２で取得したＱＲ券の使用状態管理情報に基づき、利用者の入場を許可するかどうかを判定する二次判定処理を行う（ｓ１３）。ｓ１３では、ｓ１２で取得したＱＲ券の使用状態管理情報が未入場を示している場合、利用者の入場を許可すると判定する。一方、ｓ１２で取得したＱＲ券の使用状態管理情報が入場済を示している場合、利用者の入場を許可しないと判定する。自動改札機１は、ｓ１３の二次判定処理で、駅構内への利用者の入場を許可しないと判定すると（ｓ１４）、ｓ５で扉開閉部７により扉７ａを閉する。
【００６１】
したがって、上述の二次判定で、ＱＲ券の使い回しや、コピー等による偽造券の使用によって、利用者が駅構内に不正に入場するのを防止できる。
【００６２】
自動改札機１は、ｓ１３の二次判定処理で、利用者の入場を許可すると判定すると（ｓ１４）、扉開閉部７により扉７ａを開する（ｓ１５）。また、自動改札機１は、今回の改札処理で使用されたＱＲ券について、その使用状態管理情報の更新要求を使用状態管理装置に送信する（ｓ１６）。この使用状態管理情報の更新要求には、ＱＲ券の識別番号と、入場処理完了と、が含まれている。
【００６３】
使用状態管理装置は、いずれかの自動改札機１から、ＱＲ券の使用状態管理情報の更新要求を受信すると、この更新要求に基づき、該当するＱＲ券の使用状態管理情報を更新する。したがって、使用状態管理装置は、自動改札機１が入場を許可したＱＲ券については、略リアルタイムに使用状態管理情報を更新することができる。
【００６４】
次に、自動改札機１における出場処理について説明する。図８は、自動改札機における出場処理を示すフローチャートである。
【００６５】
駅構内から出場する利用者は、入場駅での入場時に使用した乗車券（非接触ＩＣ券、またはＱＲ券）を所持している。利用者は、所持している乗車券が非接触ＩＣ券であれば、この非接触ＩＣ券を無線通エリアに翳す。利用者は、所持している乗車券がＱＲ券であれば、このＱＲ券に印刷されているＱＲコード（登録商標）を光学読取エリアに翳す。
【００６６】
自動改札機１は、ＩＣ券情報読取部１０が無線通信エリア内に位置する非接触ＩＣ券の検知、および、ＱＲ券情報読取部２０が光学読取エリア内に位置するＱＲ券の検知を繰り返し行っている（ｓ２１、ｓ２２）。ｓ２１、ｓ２２にかかる処理は、上述のｓ１、ｓ２と同じである。
【００６７】
自動改札機１は、ｓ２１で無線通信エリア内に位置する非接触ＩＣ券を検知すると、ｓ２３〜ｓ２７において、上述したｓ３〜ｓ７と同様の処理を行う。ただし、ｓ２６では、出場駅や、出場時刻等を乗車券情報として非接触ＩＣ券に書き込む。また、ｓ２５では、扉７ｂを閉し、ｓ２７では扉７ｂを開する。
【００６８】
また、自動改札機１は、ｓ２２で光学読取エリア内に位置するＱＲ券を検知すると、ｓ２８〜ｓ３３において、上述したｓ８〜ｓ１３と同様の処理を行う。ただしｓ３３、ｓ３４の二次判定処理では、該当するＱＲ券の使用状態が入場済で、且つ、未出場である場合に、利用者の出場を許可すると判定する。言い換えれば、該当するＱＲ券の使用状態が未入場であれば、未出場であっても、利用者の出場を許可しないと判定する。
【００６９】
自動改札機１は、ｓ３３の二次判定処理で、駅構内からの利用者の出場を許可しないと判定すると（ｓ３４）、ｓ２５で扉開閉部７により扉７ａを閉する。
【００７０】
したがって、上述の二次判定で、ＱＲ券の使い回しや、コピー等による偽造券の使用によって、利用者が駅構内から不正に出場するのを防止できる。
【００７１】
自動改札機１は、ｓ３３の二次判定処理で、利用者の出場を許可すると判定すると（ｓ３４）、今回使用されたＱＲ券の回収が必要であるかどうかを判定する（ｓ３５）。自動改札機１は、ｓ３５で回収が必要であると判定すると、利用者がＱＲ券投入口２５に投入したＱＲ券を回収する回収処理を行う（ｓ３６）。自動改札機１は、ＱＲ券が使い切りのキップであれば回収が必要であると判定し、何度も繰り返し使用できる１日乗車券であれば、回収が不要であると判定する。
【００７２】
自動改札機１は、扉開閉部７により扉７ｂを開する（ｓ３７）。また、自動改札機１は、今回の改札処理で使用されたＱＲ券について、その使用状態管理情報の更新要求を使用状態管理装置に送信する（ｓ３８）。この使用状態管理情報の更新要求には、ＱＲ券の識別番号と、出場処理完了と、が含まれている。
【００７３】
使用状態管理装置は、上述したように、いずれかの自動改札機１から、ＱＲ券の使用状態管理情報の更新要求を受信すると、この更新要求に基づき、該当するＱＲ券の使用状態管理情報を更新する。したがって、使用状態管理装置は、自動改札機１が出場を許可したＱＲ券についても、略リアルタイムに使用状態管理情報を更新することができる。
【００７４】
なお、上記の例では、自動改札機１は、上位装置である使用状態管理装置からＱＲ券の使用状態管理情報を取得し、取得した使用状態管理情報を用いて、利用者の入場、または出場を許可するかどうかを判定する構成したが、この判定を使用状態管理装置に行わせ、判定結果を取得する構成としてもよい。
【００７５】
また、使用状態管理装置が、定期的（例えば数分毎）にＱＲ券の使用状態管理情報を自動改札機１に通知し、自動改札機１は、使用状態管理装置にＱＲ券の使用状態管理情報を問い合わせることなく、利用者の入場、または出場を許可するかどうかを判定する構成としてもよい。
【００７６】
また、本願発明は、駅の改札口に設置される自動改札機だけでなく、テーマパークの入出場口や、セキュリティエリアへの入出場口等に設置されるゲート装置としても利用できる。
【符号の説明】
【００７７】
１…自動改札機
２…制御部
２２…撮像素子
２３…撮像レンズ
３…読取ユニット
４…ＱＲ券回収部
５…利用者検知部
６…表示部
７…扉開閉部
７ａ、７ｂ…扉
８…通信部
１０…ＩＣ券情報読取部
１１…基板
１２…アンテナコイル
２０…ＱＲ券情報読取部
２１…基板
２１…制御部
２５…ＱＲ券投入口
【図１】
0005957975.tif 000002
【図２】
0005957975.tif 000003
【図３】
0005957975.tif 000004
【図４】
0005957975.tif 000005
【図５】
0005957975.tif 000006
【図６】
0005957975.tif 000007
【図７】
0005957975.tif 000008
【図８】
0005957975.tif 000009